(57)【要約】  本発明は、少なくとも１つのフランジ（２，３）と、複数の振り子質量体（４）とを有する遠心力振り子（１）であって、複数の振り子質量体（４）は、回転軸（６）に対して、および少なくとも１つのフランジ（２，３）に対して少なくとも半径方向（５）に移動するように、少なくとも１つのフランジ（２，３）上に配置され、複数の振り子質量体（４）は、少なくとも１つの第１の予荷重要素（７）によって、軸方向（８）に少なくとも１つのフランジ（２，３）に対して予荷重され、複数の振り子質量体（４）は、複数の振り子質量体（４）の最内点（１０）と最外点（１１）との間の半径方向（５）に延長部（９）を有し、少なくとも１つの第１の予荷重要素（７）が、半径方向（５）に、最外点（１１）から延長部（９）の最大で５％の距離（１３）で間隔をあけて配置される第１の領域（１２）内で振り子質量体（４）と接触する、遠心力振り子に関する。
2021519899.tif 000002
【特許請求の範囲】
【請求項１】
少なくとも１つのフランジ（２，３）と、複数の振り子質量体（４）とを有する遠心力振り子（１）であって、
前記複数の振り子質量体（４）は、回転軸（６）に対して、および前記少なくとも１つのフランジ（２，３）に対して少なくとも半径方向（５）に移動するように、前記少なくとも１つのフランジ（２，３）上に配置され、
前記複数の振り子質量体（４）は、少なくとも１つの第１の予荷重要素（７）によって、軸方向（８）に前記少なくとも１つのフランジ（２，３）に対して予荷重され、
前記複数の振り子質量体（４）は、前記複数の振り子質量体（４）の最内点（１０）と最外点（１１）との間の前記半径方向（５）に延長部（９）を有し、前記少なくとも１つの第１の予荷重要素（７）が、前記半径方向（５）に、前記最外点（１１）から前記延長部（９）の最大で５％の距離（１３）で間隔をあけて配置される第１の領域（１２）内で前記複数の振り子質量体（４）と接触する、遠心力振り子。
【請求項２】
前記少なくとも１つのフランジ（２，３）は最大直径（１５）の外周線（１４）を有し、
前記少なくとも１つの第１の予荷重要素（７）は、前記半径方向（５）に前記最大直径（１５）の外側に配置された前記第１の領域（１２）内で前記振り子質量体（４）と接触する、請求項１に記載の遠心力振り子（１）。
【請求項３】
前記少なくとも１つの第１の予荷重要素（７）は、すべての前記複数の振り子質量体（４）と接触する環状の予荷重要素である、請求項１または２に記載の遠心力振り子（１）。
【請求項４】
前記少なくとも１つのフランジ（２，３）は、外周線（１４）を有し、前記外周線（１４）は、前記複数の振り子質量体（４）間で円周方向（１７）に第１の角度領域（１６）内を通り、前記半径方向（５）に沿うより小さい第１の直径（１８）を有し、前記円周方向（１７）に第２の角度領域（１９）内を通り、前記複数の振り子質量体（４）に隣接して前記第２の角度領域（１９）間に配置され、前記半径方向（５）に沿うより大きい第２の直径（２０）を有し、
前記少なくとも１つの第１の予荷重要素（７）は、前記第２の角度領域（１）内で、かつ前記半径方向（５）に前記第１の領域（１８）の外側で前記振り子質量体（４）と接触する、請求項１に記載の遠心力振り子（１）。
【請求項５】
前記少なくとも１つの第１の予荷重要素（７）は、前記半径方向（５）に前記第１の直径（１８）の外側で前記少なくとも１つのフランジ（２，３）と接触する、請求項４に記載の遠心力振り子（１）。
【請求項６】
前記少なくとも１つの第１の予荷重要素（７）は、前記少なくとも１つのフランジ（２，３）よりも前記半径方向（５）のさらに外側で前記振り子質量体（４）と接触する、請求項１から５のいずれか一項に記載の遠心力振り子（１）。
【請求項７】
少なくとも１つの第２の予荷重要素（２１）は、前記半径方向（５）に前記第１の予荷重要素（７）の内側に配置されている、請求項１から６のいずれか一項に記載の遠心力振り子（１）。
【請求項８】
前記少なくとも１つの第１の予荷重要素（７）は非弾性スペーサである、請求項１から７のいずれか一項に記載の遠心力振り子（１）。
【請求項９】
前記遠心力振り子（１）は第１のフランジ（２）および第２のフランジ（３）を有し、前記複数の振り子質量体（４）は軸方向（８）にそれらの間に配置されている、請求項１から８のいずれか一項に記載の遠心力振り子（１）。
【請求項１０】
摩擦クラッチ（２５）であって、
カウンタプレート（２６）と、プレッシャプレート（２７）と、前記カウンタプレート（２６）と前記プレッシャプレート（２７）との間に配置されたクラッチディスク（２８）とを少なくとも備え、前記摩擦クラッチ（２５）が少なくとも１つの請求項１から９のいずれか一項に記載の遠心力振り子（１）をさらに有する、摩擦クラッチ（２５）。
【発明の詳細な説明】
【技術分野】
【０００１】
本発明は、遠心力振り子、特に摩擦クラッチ用の遠心力振り子に関する。
【背景技術】
【０００２】
摩擦クラッチは、特に自動車、好ましくは自動車の駆動トレーンで使用することができる。遠心力振り子は、特にエンジンに励起されたねじれ振動を低減することを目的としている。遠心力振り子は、（フライホイール質量体としての）少なくとも１つのフランジと、フランジ上で移動するように配置された複数の振り子質量体とを備える。
【０００３】
摩擦クラッチは、一般に、少なくとも１つのカウンタプレートと、カウンタプレートに対して軸方向に変位され得るプレッシャプレートと、カウンタプレートとプレッシャプレートとの間に配置され得るクラッチディスクとを備える。摩擦クラッチが係合されると、クラッチディスクはカウンタプレートおよびプレッシャプレートに摩擦連結され、その結果、トルクは、例えば内燃機関からカウンタプレートおよびプレッシャプレートを介してクラッチディスクへ、クラッチディスクからハブへと伝達され得る。摩擦クラッチが切断されると、摩擦連結が解除される。ハブは、特に変速機入力軸に回動可能に固定される方法で接続されている。
【０００４】
遠心力振り子は、少なくとも所定の周波数範囲内で、通常は内燃機関から被駆動システムに始まる望ましくない振動の伝達を抑制するために、特に、摩擦クラッチにおいて使用される。遠心式加速度の分野では、振り子質量体が内燃機関のトルク変動によって励起されると、振り子質量体はその軌道に沿って振動できる。エネルギーは、これらの振動を介して適切なタイミングで励起振動から取り出され、フィードバックされ、その結果、ダンパとして機能する遠心力振り子により励起振動が落ち着く。遠心力振り子振動の固有振動数と励起周波数の両方が速度に比例するため、遠心力振り子のダンパ効果は、特に周波数範囲全体にわたり達成できる。
【０００５】
低速では、内燃機関の伝達されたトルクに大きな変動が生じ、振り子質量体が振動空間の境界にぶつかることがある。したがって、遠心力振り子の機能は失われ、振動の分離はなくなる。
【０００６】
独国特許出願公開第１０２０１００４９５５３Ａ１号から、振り子質量体の（円周方向における）振動角が摩擦によって減少する遠心力振り子が知られている。振り子質量体は、軸方向に対して振り子質量体の内側領域で支持される。
【０００７】
独国特許出願公開第１０２０１００４９５５３Ａ１号から、振り子質量体がローラ（ローラ本体）を介してフランジに対して移動可能に支持されていることも知られている。これらのローラは、振り子質量体と遠心力振り子のフランジの軸受面（ストッパ）との間に配置されるように設計されているため、振り子質量体は、入力振動の結果として事前定義された減衰運動を実行できる。したがって、振り子質量体はローラの回転部分を転がる。少なくとも１つの振り子質量体は、軸方向に固定され、所定の曲線に沿って振動軸に垂直な平面内で振動できるように、ローラを介してフランジに移動可能に固定される。振動軸は摩擦クラッチの回転軸であるため、フランジは摩擦クラッチの回転軸を中心に回転する。
【０００８】
遠心力振り子の機能および構造を改善する必要が常にある。
【発明の概要】
【発明が解決しようとする課題】
【０００９】
このことから、本発明の目的は、振り子質量体が、特に軸方向に関して、改善された方法で支持され得る遠心力振り子を提案することである。
【課題を解決するための手段】
【００１０】
この目的は、独立請求項１の特徴による遠心力振り子によって達成される。本発明のさらに有利な実施形態は、従属請求項に明記されている。従属請求項に個別に記載されている特徴は、技術的に意味のある方法で互いに組み合わせることができ、本発明のさらなる設計を定義できる。さらに、特許請求の範囲に示される特徴は、明細書において特定され、さらに詳細に説明されており、本発明のさらなる好ましい実施形態が示されている。
【００１１】
提案されているのは、少なくとも１つのフランジと、複数の振り子質量体（例えば、少なくとも２つ、好ましくは３つ以上）とを備えた遠心力振り子であり、振り子質量体は、回転軸に対して、および少なくとも１つのフランジに対して少なくとも半径方向に移動するように、少なくとも１つのフランジ上に配置される。振り子質量体は、少なくとも１つの第１の予荷重要素を介して、少なくとも１つのフランジに対して軸方向に予め張力がかけられている。振り子質量体は、振り子質量体の（回転軸に最も近い）最内点と（回転軸から最も遠い）最外点との間の半径方向に延長部を有する。少なくとも１つの第１の予荷重要素は、半径方向に、最外点から延長部の最大で５％、特に最大で２％、好ましくは最大で１％の距離で間隔をあけて配置される第１の領域内で、振り子質量体と接触する。
【００１２】
遠心力振り子は、少なくとも所定の周波数範囲内で、通常は内燃機関から被駆動システムに始まる望ましくない振動の伝達を抑制するために、特に、摩擦クラッチにおいて使用される。遠心式加速度の分野では、振り子質量体が、例えば内燃機関のトルク変動によって励起されると、振り子質量体はその軌道に沿って振動できる。エネルギーは、これらの振動を介して適切なタイミングで励起振動から取り出され、フィードバックされ、その結果、ダンパとして機能する遠心力振り子により励起振動が落ち着く。
【００１３】
摩擦クラッチは、特に、少なくとも１つのカウンタプレートと、カウンタプレートに対して軸方向に変位され得るプレッシャプレートと、カウンタプレートとプレッシャプレートとの間に配置され得るクラッチディスクとを備える。摩擦クラッチが係合されると、クラッチディスクはカウンタプレートおよびプレッシャプレートに摩擦連結され、その結果、トルクは、例えば内燃機関からカウンタプレートおよびプレッシャプレートを介してクラッチディスクへ、クラッチディスクからハブへと伝達され得る。摩擦クラッチが切断されると、摩擦連結が解除される。ハブは、特に変速機入力軸に回動可能に固定される方法で接続されているか、または変速機入力軸を形成する。遠心力振り子は、例えば、ハブ上または直接変速機入力軸上に配置することができる。
【００１４】
この場合、少なくとも１つの第１の予荷重要素が、（半径方向に）可能な限り外側で少なくとも１つの振り子質量体と接触することが提案される。したがって、振り子質量体を軸方向に関して効果的に支持することができる。
【００１５】
（第１および／または第２の）予荷重要素は、一方では振り子質量体を軸方向に支持する役割を果たす。他方、第１の予荷重要素は、（所定の）摩擦効果を設定する役割を果たし、その結果、フランジに対する振り子質量体の変位が円周方向に制動され得る。
【００１６】
特に、フランジは最大直径の（環状の）第１の外周線を有し、少なくとも１つの第１の予荷重要素は、半径方向に最大直径の外側に配置された第１の領域内で振り子質量体と接触する。特に、この特徴は、すでに説明した第１の領域の定義とは無関係に実装することもでき、したがって、第１の領域は、半径方向に、最外点から延長部の最大で５％の距離で間隔をあけて配置される。
【００１７】
特に、第１の領域は、半径方向にフランジの外側に配置される。
【００１８】
少なくとも１つの第１の予張力要素は、すべての振り子質量体と接触する環状の予荷重要素である。特に、環状の予荷重要素は、回転軸の周りに完全に延在する。
【００１９】
特に、少なくとも１つの（第１または第２の）予荷重要素は、（特にプラスチックで作製された）少なくとも１つの摩擦要素を介して、振り子質量体および／または少なくとも１つのフランジに接続される。摩擦要素は、所定の摺動条件（すなわち摩擦係数）を保証し、その結果、円周方向の振り子質量体のかたよりに関して所定の制動効果が設定され得る。
【００２０】
特に、少なくとも１つのフランジは、振り子質量体間で円周方向に沿って第１の角度領域内を通り、半径方向に沿うより小さい第１の直径を有する外周線を有し得る。外周線は（また）、円周方向に第２の角度領域内を通り、（この場合）振り子質量体に隣接して第２の角度領域間に配置され、半径方向に沿うより大きい第２の直径を有する。少なくとも１つの第１の予張力要素は、第２の角度範囲内でかつ半径方向に第１の直径の外側で振り子質量体と接触する。
【００２１】
外周線は、円周方向に特に２つの異なる直径まで延びる。直径間の移行は特に連続的である（直径は、例えば、小さい直径から始まり大きい直径へと変化し、拡大によってのみ変化するか、または部分的に一定の直径を有するため、直径の減少はない）。
【００２２】
特に、少なくとも１つの第１の予荷重要素は、半径方向に第１の直径の外側のフランジと接触する。
【００２３】
特に、このように、より大きな第２の直径を有する領域がフランジに設けられているため、振り子質量体を支持するための少なくとも１つの第１の予荷重要素は、ここで支持され得る。
【００２４】
少なくとも１つの第１の予荷重要素は、特にフランジよりも半径方向のさらに外側で、振り子質量体と接触する。
【００２５】
特に、少なくとも１つの第２の予荷重要素は、半径方向に第１の予張力要素の内側に配置されている。
【００２６】
特に、これにより、少なくとも１つの振り子質量体が、軸方向に対して内側領域内でさらに支持され得る。
【００２７】
少なくとも第１の予荷重要素（場合によっては第２の予荷重要素も）は、非弾性スペーサ（つまり、弾性変形不可能）であり得る。しかしながら、第１および／または第２の予荷重要素は、好ましくは、弾性変形可能（ばね、波ワッシャ、例えば、板ばねなど）であるように設計される。
【００２８】
特に、遠心力振り子は第１のフランジおよび第２のフランジを有し、複数の振り子質量体は軸方向にそれらの間に配置されている。あるいは、振り子質量体の大部分がフランジの片側またはフランジの両側に配置されているフランジを設けることができる。
【００２９】
特に、少なくとも１つの第１および／または第２の予荷重要素は、第１のフランジおよび第２のフランジの一方と振り子質量体との間にのみ配置される。
【００３０】
摩擦クラッチもまた提案され、カウンタプレートと、プレッシャプレート（これは、カウンタプレートに対して軸方向に沿って変位され得る）と、カウンタプレートとプレッシャプレートとの間に配置されたクラッチディスクとを少なくとも備え、摩擦クラッチは、少なくとも上述した遠心力振り子をさらに有する。遠心力振り子は、特に（変速機入力軸を備えたハブを介して、および／または）クラッチディスクに接続されている。
【００３１】
念のため、本明細書で使用される数字（「第１」、「第２」など）は、いくつかの類似の対象物、サイズ、またはプロセスを区別するために主に（唯一）機能し、特にこれらの対象物、サイズ、またはプロセスの相互に必要な依存関係は意図されないことに注意されたい。依存および／または順序が必要な場合、ここで明示的に述べられるか、または具体的に説明された構成を研究するときに当業者に明らかな方法になる。
【００３２】
本発明および技術的環境の両方は、図面を参照して以下により詳細に説明される。本発明は、示されている例示的な実施形態によって限定されることを意図していないことを指摘しておくべきである。特に、他に明確に述べられていない限り、図で説明された事項の部分的な側面を抽出し、それを本明細書および／または図からの他の構成要素および所見と組み合わせることが可能である。特に、図、特に示されている比率は、概略的なものに過ぎないことを指摘しておく必要がある。同じ参照番号は同じ対象物を示しているため、他の図の説明を補足として使用できる。
【図面の簡単な説明】
【００３３】
【図１】遠心力振り子の分解図の斜視図である。
【図２】遠心力振り子の側面図である。
【図３】遠心力振り子の第１の実施形態の変形例を示す回転軸に沿った正面図である。
【図４】図３による遠心力振り子の側面図である。
【図５】遠心力振り子の第２の実施形態の変形例を示す回転軸に沿った正面図である。
【図６】図５による遠心力振り子を示す側面図である。
【図７】遠心力振り子を備えた摩擦クラッチの側面図である。
【発明を実施するための形態】
【００３４】
図１は、遠心力振り子１の分解図の斜視図である。図２は、遠心力振り子１の側面図である。図１および図２を以下に一緒に説明する。
【００３５】
遠心力振り子１は、第１のフランジ２、第２のフランジ３、および複数（つまり３つ）の振り子質量体４を有する。振り子質量体４は、回転軸６およびフランジ２，３に対して半径方向５に移動するように、フランジ２，３上に配置されている。
【００３６】
振り子質量体４は、ローラ２２を介してフランジ２，３に対して移動可能に支持されている。これらのローラ２２は、振り子質量体４と遠心力振り子１のフランジ２，３の軸受面との間に配置されるように設計されているため、振り子質量体４は、入力振動の結果として事前定義された減衰運動を実行できる。したがって、振り子質量体４はローラ２２の回転部分を転がる。振り子質量体４は、軸方向８に固定され、所定の曲線に沿って振動軸（回転軸６）に垂直な平面内で振動できるように、ローラ２２を介してフランジ２，３に移動可能に固定される。
【００３７】
遠心力振り子１は、振り子質量体４がフランジ２，３に対して支持されることを可能にする２つの第１の予荷重要素７をさらに備える。第１の予荷重要素７は、一方では振り子質量体４を軸方向８に支持する役割を果たす。他方、第１の予荷重要素７は、（所定の）摩擦効果を設定する役割を果たし、その結果、フランジ２，３に対する振り子質量体４の変位が円周方向１８に制動され得る。
【００３８】
図２は、振り子質量体４が（固定された）フランジ２，３に対して移動可能に配置されていることを示す。したがって、振り子質量体４は、第１の予荷重要素７（ここではばねとして示されている）を介して軸方向８に関して予荷重されている。したがって、振り子質量体４上の予荷重要素７の接触に応じて、振り子質量体４の傾斜が可能である。ここで、第１の予荷重要素７は、半径方向５の内側にある第１の領域１２内で振り子質量体４と接触する。
【００３９】
図３は、遠心力振り子１の第１の実施形態の変形例を示す回転軸６に沿った正面図である。図４は、図３による遠心力振り子１の側面図である。図３および図４を以下に一緒に説明する。図１および図２に関する説明を参照されたい。
【００４０】
図１および図２による説明とは対照的に、ここでは、半径方向５のはるか外側で振り子質量体に接触する第１の予荷重要素７が設けられている。遠心力振り子１は、第１のフランジ２、第２のフランジ３、および複数の振り子質量体４（ここでは３つ）を備え、振り子質量体４は、回転軸６およびフランジ２，３に対して少なくとも半径方向５に移動するように、フランジ２，３上に配置されている。振り子質量体４はそれぞれ、各フランジ２，３に対して軸方向８に環状の第１の予荷重要素７を介して予荷重されている。振り子質量体４は、振り子質量体４の（回転軸６に最も近い）最内点１０と（回転軸６から最も遠い）最外点１１との間の半径方向５に延長部９を有する。各第１の予荷重要素７は、半径方向５に、最外点１１から距離１３で間隔をあけて配置される第１の領域１２内で振り子質量体４と接触する。
【００４１】
フランジ２，３は最大直径１５の（環状の）第１の外周線１４を有し、第１の予荷重要素７は、半径方向５に最大直径１５の外側に配置された第１の領域１２内で振り子質量体４と接触する。
【００４２】
第１の領域１２は、半径方向５にフランジ２，３の外側に配置される。
【００４３】
第１の予荷重要素７は、すべての振り子質量体４と接触するそれぞれの環状の予荷重要素である。
【００４４】
この場合、第１の予荷重要素７は、摩擦要素２４を介して振り子質量体４に接続されている。摩擦要素２４は、所定の摺動条件（すなわち摩擦係数）を保証し、その結果、円周方向１８の振り子質量体４のかたよりに関して所定の制動効果が設定され得る。
【００４５】
第１の予荷重要素７は、それぞれのフランジ２，３よりも半径方向５のさらに外側で振り子質量体４と接触する。
【００４６】
図５は、遠心力振り子１の第２の実施形態の変形例を示す回転軸６に沿った正面図である。図６は、図５による遠心力振り子１の側面図である。図５および図６を以下に一緒に説明する。図３および図４に関する説明を参照されたい。
【００４７】
図３および図４とは対照的に、フランジ２，３および第１の予荷重要素７は、ここでは異なって設計されている。フランジ２，３は、振り子質量体４間で円周方向１８に第１の角度領域１７内を通り、半径方向５に沿うより小さい第１の直径１９（より小さい第１の半径）を有する外周線１４を有する。外周線１４はまた、円周方向１８に第２の角度領域２０内を通り、振り子質量体４に隣接して第２の角度領域２０間に配置され、半径方向５に沿うより大きい第２の直径２１（またはより大きい第２の半径）を有する。第１の予荷重要素７は、第２の角度領域２０内で、かつ半径方向５に第１の領域１２内で第１の直径１９（第１の半径）の外側で振り子質量体４と接触する。
【００４８】
外周線１４は、円周方向１８に２つの異なる直径１９，２１まで延びる。直径１９と２１との間の移行は連続的に行われる。
【００４９】
第１の予荷重要素７は、ここでは、フランジ２，３に固定され、そこから軸方向８に振り子質量体４に向かって延びるばねとして設計されている。第１の予荷重要素７は、各振り子質量体４および各フランジ２，３に対して設けられる。第１の予荷重要素７は、半径方向５に第１の直径１９の外側でフランジ２，３と接触する。
【００５０】
ここでは、より大きな第２の直径２１を有する領域がフランジ２，３に設けられているため、振り子質量体４を支持するための第１の予荷重要素７は、ここで支持され得る。
【００５１】
図７は、遠心力振り子１を備えた摩擦クラッチ２５の側面図である。摩擦クラッチ２５は、カウンタプレート２６と、軸方向８にカウンタプレート２６に対して変位され得るプレッシャプレート２７と、カウンタプレート２６とプレッシャプレート２７との間に配置され得るクラッチディスク２８とを備える。摩擦クラッチ２５が係合されると、クラッチディスク２８はカウンタプレート２６およびプレッシャプレート２７に摩擦連結され、その結果、トルクは、例えば内燃機関からカウンタプレート２６およびプレッシャプレート２７を介してクラッチディスク２８へ、クラッチディスク２８からハブへと伝達され得る。摩擦クラッチ２５が切断されると、摩擦連結が解除される。ハブは、例えば、変速機入力軸に回動可能に接続され得る。遠心力振り子１は、ハブを介して変速機入力軸に接続されている。クラッチディスク２８に伝達される振動は、遠心力振り子１によって少なくとも低減され得る。
【符号の説明】
【００５２】
１  遠心力振り子
２  第１のフランジ
３  第２のフランジ
４  振り子質量体
５  半径方向
６  回転軸
７  予荷重要素
８  軸方向
９  延長部
１０  最内点
１１  最外点
１２  第１の領域
１３  距離
１４  外周線
１５  最大直径
１６  第２の領域
１７  第１の角度領域
１８  円周方向
１９  第１の直径
２０  第２の角度領域
２１  第２の直径
２２  第２の予荷重要素
２３  ローラ
２４  摩擦要素
２５  摩擦クラッチ
２６  カウンタプレート
２７  プレッシャプレート
２８  クラッチディスク
【図１】
2021519899.tif 000003
【図２】
2021519899.tif 000004
【図３】
2021519899.tif 000005
【図４】
2021519899.tif 000006
【図５】
2021519899.tif 000007
【図６】
2021519899.tif 000008
【図７】
2021519899.tif 000009
【国際調査報告】
2021519899.tif 000010
2021519899.tif 000011
2021519899.tif 000012
2021519899.tif 000013